(57)【特許請求の範囲】
【請求項１】
ロードセル、荷重表示部及び前記ロードセルで検出される荷重情報を表示部に表示させる回路部を含む荷重測定装置と、
荷重受け部と、
前記荷重受け部で受けた荷重を前記ロードセルによる検出可能な荷重範囲内の検出用荷重へ減らして前記ロードセルに検出させるためのレバー機構と、
前記荷重測定装置中の少なくともロードセル及び前記レバー機構を収容するケースとを含んでおり、
前記レバー機構は前記荷重受け部側から前記ロードセル側へ順次隣り合わせて配置された複数段のレバーを含んでおり、
前記レバー機構のレバーのそれぞれは定位置で回動可能に支持された一端部を中心に他端部が揺動可能なレバーであり、各隣り合うレバー間では、前記荷重受け部側レバーの他端部が、前記ロードセル側レバーの、他端部より一端部により近い荷重作用部位に当接可能であり、
前記荷重受け部は、受けた荷重を前記レバー機構のレバーのうち最も荷重受け部側レバーの、他端部より一端部により近い荷重作用部位に加えるように設けられており、
前記ロードセルは、前記検出用荷重を前記レバー機構のレバーのうち最も前記ロードセル側のレバーの他端部で加えられるように設けられており、
前記レバー機構のレバーのうち最もロードセル側のレバーの他端部を前記ロードセルから分離させることで前記ロードセルに加わっている検出用荷重をリセットするための操作レバーがさらに設けられていることを特徴とする秤。
【請求項２】
前記荷重受け部は球体であり、該球体は、前記ケースの頂部に形成された孔から一部が露出している請求項１記載の秤。
【請求項３】
秤量対象物品に螺合させる雄ねじ棒部分、前記雄ねじ棒部分から延び出た突出部及び前記雄ねじ棒部分と前記突出部の間のフランジ部を有するボルトと、前記ボルトの突出部に嵌合されて前記ボルトを回動可能に支持するボルト台座と、前記ボルト台座から前記突出部が抜け出ることを防止する抜け止め装置とを含む物品支持脚ボルト装置を前記ボルト台座で前記ケースに接続するとともに前記ボルトの突出部を前記荷重受け部に当接可能とした請求項１記載の秤。
【請求項４】
前記荷重受け部は球体であり、前記ボルトの突出部には前記荷重受け部が嵌まる錐体形状の凹所が該突出部下端面から該突出部内へ次第に細まるように形成してあり、前記荷重受け部は該凹所に嵌められ、該突出部と前記レバー機構の最も荷重受け部側のレバーの前記荷重作用部位との間に挟まれて位置決めされている請求項３記載の秤。
【請求項５】
前記ロードセルは一つの荷重検出部位にて前記レバー機構の最もロードセル側レバーの他端部から加えられる検出用荷重を検出するビーム型シングルポイントロードセルである請求項１、２、３又は４記載の秤。
【発明の詳細な説明】
【技術分野】
【０００１】
本発明は、物品、なかでも重量の大きい各種機械等の重量物を支持するとともにその重量或いはその重量とともにその重量物に付加されることがある物品等の重量を随時測定するのに適する秤に関する。
【背景技術】
【０００２】
物品重量の測定は様々な分野で様々な目的で行われている。
今日の物品重量の測定にはロードセルが広く利用されている。
【０００３】
例えば、料理材料の計量に用いる秤、体重計等に利用されており、また、例えば、何らかの処理のために、その処理に用いる材料をホッパから処理機械へ供給するとき、ホッパ内の材料量を知るために、該ホッパの重量変化をロードセル利用の秤で測定することが行われている。
【０００４】
このようなロードセルは相当古くから知られており、多くの書物に記載されてきた。例えば、株式会社コロナ社昭和５９年２月１５日発行の「計測・制御」にも記載されている。
【先行技術文献】
【非特許文献】
【０００５】
【非特許文献１】株式会社コロナ社昭和５９年２月１５日発行の「計測・制御」
【発明の概要】
【発明が解決しようとする課題】
【０００６】
ところで、各種機械等の重量物について、例えば、その重量物上の処理材料の重量から処理量を求めたり（例えばコンベアによる物品搬送量を求めたり）、その重量物上の付加物品の重量やその重量物上の処理材料重量をその重量物の設置場所の耐荷重強度を超えない範囲に管理する等のために、重量物の重量をその上の付加物品等も含めて測定することが望ましい場合がある。
【０００７】
重量物それ自体の重量は、その設計図等から計算で予め求めておくことができるが、重量物とその上の例えば付加物品や処理対象材料とをまとめて重量測定するとなると、それに適する秤はみあたらないのが実情である。
【０００８】
機械等の重量物は一旦予め定めた場所に設置すると、他の場所へ移動させるには重量物を扱うフオークリフト、クレーン車等でもなければ行えないことが多く、通常は、工場の移転、重量物の売却等の特別な場合を除いて他の場所へ移動させることはない。
【０００９】
このように一旦設置されると、特別な場合を除いて移動させることがない機械等の重量物でも、その上に搭載されることがあるオプションの付加物品等や処理対象材料等とともに重量測定できる秤として、ロードセル利用の秤を採用し、そのような秤を設置し、その上に重量物を設置することが考えられるが、その場合、一旦設置した重量物は前記のとおり、通常は、他の場所へ移動させることはないから、その秤に重量物等の重量が印加されたままの状態が長時間にわたり続くことになる。
【００１０】
ロードセルに重量を長時間にわたって印加し続けた場合、その間の環境温度、環境湿度の変化等のロードセルに対する影響で、表示される検出重量に変化が生じ、正しい重量が表示されなくなってくることがある。
【００１１】
ロードセル利用の秤上の物品が軽量物等で容易に取り除けるものであれば、一旦それを取り除いて秤表示をリセットし、改めてその物を秤に掛ければよいが、前記のとおり機械等の重量物ではそのようなことはできない。
【００１２】
よって、結局のところ、一旦予め定めた場所に設置すると、通常は他の場所へ移動させることがない機械等の重量物について、その重量等を随時計ることができる秤は見当たらない。
【００１３】
そこで本発明は、物品、なかでも重量の大きい各種機械等の重量物を支持するとともにその重量或いはその重量とともにその重量物に付加されることがある物品等の重量を随時、環境温湿度等に影響されることなく、それだけ精度よく測定することができる秤を提供することを課題とする。
【課題を解決するための手段】
【００１４】
本発明は、前記課題を解決するため、
ロードセル、荷重表示部及び前記ロードセルで検出される荷重情報を表示部に表示させる回路部を含む荷重測定装置と、
荷重受け部と、
前記荷重受け部で受けた荷重を前記ロードセルによる検出可能な荷重範囲内の検出用荷重へ減らして前記ロードセルに検出させるためのレバー機構と、
前記荷重測定装置中の少なくともロードセル及び前記レバー機構を収容するケースとを含んでおり、
前記レバー機構は前記荷重受け部側から前記ロードセル側へ順次隣り合わせて配置された複数段のレバーを含んでおり、
前記レバー機構のレバーのそれぞれは定位置で回動可能に支持された一端部を中心に他端部が揺動可能なレバーであり、各隣り合うレバー間では、前記荷重受け部側レバーの他端部が、前記ロードセル側レバーの、他端部より一端部により近い荷重作用部位に当接可能であり、
前記荷重受け部は、受けた荷重を前記レバー機構のレバーのうち最も荷重受け部側レバーの、他端部より一端部により近い荷重作用部位に加えるように設けられており、
前記ロードセルは、前記検出用荷重を前記レバー機構のレバーのうち最も前記ロードセル側のレバーの他端部で加えられるように設けられており、
前記レバー機構のレバーのうち最もロードセル側のレバーの他端部を前記ロードセルから分離させることで前記ロードセルに加わっている検出用荷重をリセットするための操作レバーがさらに設けられている秤を提供する。
【００１５】
本発明に係る秤によると、秤量対象物品をその荷重が荷重測定装置の荷重受け部に加わるように秤上に載置することで、該秤量対象物品を支持するとともにその荷重を測定することができる。
【００１６】
荷重測定装置の荷重受け部に加わる物品荷重は、前記複数段のレバーを含むレバー機構の最も荷重受け部側のレバーの、他端部より一端部により近い荷重作用部位に加えられ、ここに加えられた物品荷重は、前記複数段のレバーにより順次減らされつつ前記ロードセル側へ伝達され、該レバー機構の最もロードセル側レバーの他端部から、該ロードセルによる検出可能範囲内の検出用荷重として該ロードセルに加えられ、該ロードセルで検出される荷重情報に基づいて前記回路部が前記表示部に物品荷重を表示する。
【００１７】
このように、物品荷重はレバー機構により、より小さい検出用荷重へ変換されるので、機械等の重量物でも、ロードセルを損傷することなく支持し、その重量を計ることができる。
【００１８】
また、既述のとおり、ロードセルに重量を長時間にわたって掛け続ける場合、その間の環境温度、環境湿度の変化、周囲振動等のロードセルに対する影響で、表示される検出重量に変化が生じ、正しい重量が表示されなくなってくるおそれがある。その点、本発明に係る秤では、検出用荷重をリセットするための前記操作レバーを随時操作して、レバー機構のレバーのうち最もロードセル側レバーの他端部を前記ロードセルから分離させることで該ロードセルに加わっている検出用荷重を一旦リセットでき、このリセット操作により環境温湿度等に影響されることなく、それだけ精度よく物品重量を測定することができる。
【００１９】
本発明に係る秤は、より容易、確実に秤量対象物品を支持するとともにその重量を測定できるようにするため、次のように、物品支持脚ボルト装置を付設した秤としてもよい。
【００２０】
すなわち、
秤量対象物品に螺合させる雄ねじ棒部分、前記雄ねじ棒部分から延び出た突出部及び前記雄ねじ棒部分と前記突出部の間のフランジ部を有するボルトと、前記ボルトの突出部に嵌合されて前記ボルトを回動可能に支持するボルト台座と、前記ボルト台座から前記突出部が抜け出ることを防止する抜け止め装置とを含む物品支持脚ボルト装置を前記ボルト台座で前記ケースに接続するとともに前記ボルトの突出部を前記荷重受け部に当接可能とした秤である。
【００２１】
この秤によると、物品支持脚ボルト装置のボルトの雄ねじ棒部分を秤量対象の物品に予め設けられた雌ねじ部に螺合させるとともに秤本体を物品設置床面等上に配置することで、該物品に取り付け、該物品を支持し、その重量を測定することができる。
【００２２】
このように物品支持脚ボルト装置を付設した秤においては、例えば、前記荷重受け部を球体とし、前記ボルトの突出部には該球体の荷重受け部が嵌まる錐体形状の凹所を該突出部下端面から該突出部内へ次第に細まるように形成し、球体の荷重受け部が該凹所に嵌められ、該突出部と前記レバー機構の最も荷重受け部側のレバーの前記荷重作用部位との間に挟まれて位置決めされるようにしてもよい。
【００２３】
前記ボルトは回し具係合部を有していることが望ましい。かかる回し具係合部を設けておくことで、雄ねじ棒部分の物品雌ねじ部への螺合の際、必要に応じ、該係合部に適当な回し具を係合させて該ボルトを回すことができる。また、秤が床面等上に置かれたあと、該回し具係合部に適当な回し具を係合させてボルトを回すことで物品の高さ調節や水平出しを行える。前記フランジ部はかかる回し具係合部を兼ねていてもよい。
【００２４】
前記ボルトにおける回し具係合部は、ボルトを回す道具をこれに係合してボルトを回せる各種形態のものとすることができる。代表的なものの例として、スパナ、モンキーレンチ、チエーントング等を係合できる平面輪郭６角形の係合部を挙げることができる。
【００２５】
前記ボルト台座から前記ボルトの突出部が抜け出ることを防止する抜け止め装置としては、前記ボルトの回動を許しつつ抜け止めを行う様々のものを採用できる。例えば、突出部のボルト台座からボルト台座内側へ突出した部分に、ａ）接着剤で嵌着固定されるリング部材、ｂ）同部分に螺合されるナット部材、ｃ）同部分に周設した溝に一旦広げられて配置された後、その弾性復元力で該溝に抜けないように嵌まるＣ形リング等の抜け止め用リング部材、ｄ）同部分に設けた孔に嵌められる抜け止めピン部材を挙げることができる。
【００２６】
いずれにしても前記荷重測定装置のロードセルは様々なタイプのものを採用できる。代表例として、一つの荷重検出部位にて前記レバー機構の最もロードセル側レバーの他端部から加えられる検出用荷重を検出する、歪みゲージ利用のビーム型シングルポイントロードセルを挙げることができる。
【発明の効果】
【００２７】
以上説明したように本発明によると、物品、なかでも重量の大きい各種機械等の重量物を支持するとともにその重量或いはその重量とともにその重量物に付加されることがある物品等の重量を随時、環境温湿度等に影響されることなく、それだけ精度よく測定することができる秤を提供することができる。
【図面の簡単な説明】
【００２８】
【図１】本発明に係る秤の１例の斜視図である。
【図２】図１の秤の物品支持脚ボルト装置の一部、並びに秤本体のロードセル、荷重受け部及びレバー機構等を正面側から見て示す断面図である。
【図３】本発明に係る秤の他の例の斜視図である。
【図４】図１に示す秤の使用状態例を示す図である。
【発明を実施するための形態】
【００２９】
以下、図面を参照して本発明に係る秤の例について説明する。
図１は本発明に係る秤の１例である物品支持脚ボルト装置１０付きの秤Ａの全体斜視図である。図２は秤Ａの物品支持脚ボルト装置１０の一部、並びに秤本体２０のロードセル２１１、荷重受け部２２及びレバー機構２３等を正面側から見て示す断面図である。
【００３０】
図３は図１の秤Ａにおいて物品支持脚ボルト装置１０を省略した残りの秤本体２０の斜視図であるが、この秤本体２０はそれ自体、本発明に係る秤の他の例であるとも言えるものである。以下、この秤本体２０を「秤Ｂ」ということもある。
【００３１】
図１、図２の秤Ａにおける秤本体２０（秤Ｂ）に搭載された物品支持脚ボルト装置１０は、秤量対象物品Ｗ（図４参照）に螺合させる雄ねじ棒部分１１１、該雄ねじ棒部分１１１の下端部から突出した突出部１１２、雄ねじ棒部分１１１と突出部１１２の間に設けられたフランジ部１１３からなるボルト１１を含んでいる。
【００３２】
ボルト１１の雄ねじ棒部分１１１、フランジ部１１３及び突出部１１２の一部１１２ａは一体的に形成されている。
【００３３】
突出部１１２はその全体が雄ねじ棒部分１１１やフランジ部１１３と一体的に形成されていてもよいが、ここでは、その一部１１２ａが雄ねじ棒部分１１１及びフランジ部１１３と一体的に、且つ、中心軸線を雄ねじ棒部分１１１と同じくする短い軸部として形成されている。
【００３４】
この短い軸部１１２ａにその下端面から中心軸線を同じくして頭付きボルト１１２ｂが螺着されている。かくして、ボルト１１２ｂの頭部下端面が突出部１１２の下端面となっている。
【００３５】
頭付きボルト１１２ｂには、その頭部下端面からボルト内部上方へ向け、中心軸線をボルト１１２ｂ、軸部１１２ａ、雄ねじ棒部分１１１と同じくして錐体状凹所（本例では円錐形状凹所）１２が穿設されている。これについては後ほどさらに説明する。
【００３６】
物品支持脚ボルト装置１０は、さらに、ボルト１１の突出部１１２に下方から嵌合されてボルト１１をその中心軸線まわりに回転可能に支持するボルト台座１３及びボルト台座１３からボルト１１の突出部１１２が抜け出ることを防止する抜け止め装置１４を含んでいる。
【００３７】
ボルト台座１３は、伏せ碗形状を呈しており、頂部１３１に形成した孔１３１ｈに前記ボルト１１の突出部１１２が遊嵌され、その後に、突出部１１２に抜け止め装置１４が設けられている。
【００３８】
抜け止め装置１４は様々なタイプのものを採用できるが、本例では突出部１１２の軸部１１２ａに螺着された雌ねじ部材である。雌ねじ部材１４が軸部１１２ａに螺着されて突出部１１２がボルト台座１３から抜け止めされた状態で、ボルト１１はボルト台座１３に対し、僅かに昇降自在となっている。
【００３９】
ボルト１１は、その雄ねじ棒部分１１１が自由な状態で突出部１１２が下方から押し上げ力を受けていなければ、フランジ部１１３がボルト台座頂部１３１に当接するまで自重で下降してボルト台座１３から立ち上がった姿勢をとる。ボルト１１の雄ねじ棒部分１１１を自由な状態にしておいて突出部１１２を若干持ち上げると、ボルト１１は若干傾くもののボルト台座頂部１３１に接触するフランジ部１１３に支えられてボルト台座１３から立ち上がった姿勢をとる。
【００４０】
ボルト１１のフランジ部１１３は、図示が省略されているが、平面からみると六角形状であり、スパナ、モンキーレンチ等をここに係合させてボルト１１を回すことができる。
【００４１】
秤本体２０（秤Ｂ）は、図示のように、荷重測定装置２１、荷重受け部２２、レバー機構２３及び検出用荷重をリセットするための操作レバー２４並びにこれらを設けたケース２５を含んでいる。
【００４２】
荷重測定装置２１は、ロードセル２１１、荷重を表示する液晶表示部２１２及びロードセル２１１で検出され、電気信号に変換された荷重情報を表示部２１２に表示させる回路部２１３を含んでいる。回路部２１３は電源として、それとは限定されないが、本例では交換可能のボタン電池を装着したものである。
【００４３】
前記の物品支持脚ボルト装置１０はそのボルト台座１３の裾部分で秤本体２０のケース２５の頂部に螺子止め（図示省略）接続されている。
【００４４】
秤本体２０（秤Ｂ）の荷重受け部２２は、それとは限定されないが、本例では球体である。この球体２２は、次に詳述するレバー機構２３に接触した状態でケース頂部の若干窪ませた箇所２５１に形成した孔２５２から一部が上方へ向け露出している。
【００４５】
球体２２のこの露出部分が前記ボルト１１の突出部１１２のボルト部分１１２ｂに形成した円錐形凹所１２に嵌まっている。
球体２２はボルト１１に加わる荷重を受けてレバー機構２３を介して後述するようにロードセル２１１に伝達する。
【００４６】
レバー機構２３は球体２２に加えられる荷重を、ロードセル２１１による検出可能な荷重範囲内の検出用荷重へ減らしてロードセル２１１に検出させるためのものである。
【００４７】
レバー機構２３は、荷重受け部である球体２２側からロードセル２１１側へ順次隣り合わせて配置された３段のレバー２３１、２３２、２３３を含んでいる。
【００４８】
レバー２３１、２３２、２３３のそれぞれは、ケース２５に取り付けたレバー支持ブロック２６に一端部が回動可能に支持されて他端部が上下方向に揺動可能なレバーである。
【００４９】
隣り合うレバー２３１と２３２間では、球体２２により近い球体側レバー２３１の他端部１ｂが、ロードセル２１１により近いロードセル側レバー２３２の、他端部２ｂより一端部２ａにずっと近い荷重作用部位２ｆに当接している。
【００５０】
また、隣り合うレバー２３２と２３３間では、球体２２により近い球体側レバー２３２の他端部２ｂが、ロードセル２１１により近いロードセル側レバー２３３の、他端部３ｂより一端部３ａにずっと近い荷重作用部位３ｆに当接している。
【００５１】
球体２２とレバー機構２３の荷重作用位置関係について言えば、球体２２は受けた荷重をレバー機構２３のレバーのうち最も球体２２側のレバー２３１の、他端部１ｂより一端部１ａにより近い荷重作用部位１ｆに加えるように設けられている。
【００５２】
ロードセル２１１とレバー機構２３の荷重作用位置関係について言えば、ロードセル２１１は、検出用荷重をレバー機構２３の最もロードセル側のレバー２３３の他端部３ｂから加えられるように設けられている。
【００５３】
ロードセル２１１は、それとは限定されないが、ここでは、秤本体２０（秤Ｂ）のケース２５の底部に片持ち支持された、歪みゲージ利用のビーム型シングルポイントロードセルである。荷重検出用部位であるシングルポイントは自由端部２１１ａに形成された上下方向の孔Ｈに上方から一部で嵌め乗せられた球体２１１ｂで提供されている。
【００５４】
レバー機構２３の最もロードセル側のレバー２３３の他端部３ｂ、すなわち検出用荷重をロードセル２１１に加える他端部３ｂはこの球体２１１ｂに当接して検出用荷重を加えることができる。
【００５５】
レバー機構２３の最もロードセル側のレバー２３３の他端部３ｂから延長部分３ｃがケース外側方向へ向け延ばされていて、その延長部分３ｃの上方に押さえバネＳ１が、下方に検出用荷重をリセットするための操作レバー２４及びバネＳ２がそれぞれ配置されている。
【００５６】
押さえバネＳ１は、ロードセル２１１の荷重検出用球体２１１ｂに対するレバー２３３の初期接触状態を安定させる程度の強さのバネである。
【００５７】
操作レバー２４はケース２５に回動可能に支持されており、常時はバネＳ２で、レバー２３３から離れるように付勢されている。操作レバー２４をバネＳ２に抗して手動等で回動させることでレバー２３３の延長部分３ｃを持ち上げ揺動させ、レバー他端部３ｂをロードセル２１１の球体２１１ｂから分離させ、それによりロードセル２１１に加わっている検出用荷重をリセットすることができる。なお、操作レバー２４に代えてレバー２３３の延長部分３ｃを操作レバーとして利用してもよい。
【００５８】
荷重測定装置２１を構成している回路部２１３（図３参照）は、本例では、ロードセル２１１から荷重が取り除かれると、表示部２１２による荷重表示を「０」にリセットするように構成されている。この「０」リセットは前記バネＳ１による安定化荷重を加算した値を「０」点とするように行われる。換言すれば、バネＳ１による安定化荷重を加えないで秤量対象物品の荷重を表示しなおせるように「０」リセットされる。
【００５９】
図１に示す秤Ａによると、図４に例示するように、物品支持脚ボルト装置１０のボルト１１の雄ねじ棒部分１１１を支持、秤量対象の物品Ｗに予め設けられた雌ねじ部Ｎに螺合させるとともに秤本体２０を物品設置床面等Ｆ上に配置することで、物品Ｗを支持し、その重量を測定することができる。
【００６０】
物品支持手段を兼ねる秤Ａは図４では物品Ｗの一か所に対しのみ使用されているが、必要に応じ複数箇所に取り付け使用してもよい。また、他の箇所については、秤量が必要でないなら、例えば、物品支持脚ボルト装置１０のような支持手段で支持することもできる。
【００６１】
いずれにしても、図４に示すように物品Ｗに取り付けられた秤Ａによると、物品支持脚ボルト装置１０を介して秤本体２０の荷重受け部である球体２２に加わる物品荷重は、レバー機構２３の最も球体側のレバー２３１の一端部１ａに近い荷重作用部位１ｆに加えられ、ここに加えられた物品荷重は、３段のレバー２３１、２３２、２３３により順次減らされつつロードセル２１１側へ伝達され、最もロードセル側レバー２３３の他端部３ｂからロードセル２１１による検出可能範囲内の検出用荷重としてロードセル２１１の球体２１１ｂに加えられる。そして、ロードセル２１１で検出される荷重情報に基づいて回路部２１３が表示部２１２に物品荷重を表示する。
【００６２】
このように、物品荷重はレバー機構２３により、より小さい検出用荷重へ変換されるので、物品Ｗが機械等の重量物でも、ロードセル２１１を損傷することなく支持し、その重量を測定することができる。
【００６３】
レバー機構２３の各レバーにおける一端部の回動中心からそのレバーの荷重を受ける部位１ｆ等までの距離と、隣り合うレバー又はロードセルに荷重を伝達する他端部までの距離を所望の荷重減量に応じて設定することで、例えば、球体２２に加わる５００Ｋｇ程度の荷重を２Ｋｇ以下程度の検出用荷重まで減量することができる。
【００６４】
ロードセル２１１に重量を長時間にわたって掛け続ける場合、その間の環境温度、環境湿度の変化、周囲振動等のロードセル２１１に対する影響で、表示される検出重量に変化が生じ、正しい重量が表示されなくなってくるおそれがあるが、秤Ａでは、随時、操作レバー２４を操作して、レバー機構２３の最もロードセル側レバー２３３の他端部３ｂをロードセル２１１の球体２１１ｂから分離させ、ロードセル２１１に加わっている検出用荷重を一旦リセットでき、このリセット操作により環境温湿度等に影響されることなく、それだけ精度よく物品重量を測定する、或いは測定しなおすことができる。
秤本体２０は重量物の重量を随時、精度良く測定できる割りにはコンパクに形成することができ利点もある。
【００６５】
秤本体２０はそれ自体で秤Ｂとして利用することができ、その場合、ケース２５から露出する荷重受け用球体２２に物品荷重を加えればよい。その場合、必要に応じ、適当な中間部材を介して球体２２に測定対象の物品荷重を加えてもよい。
【００６６】
図示の秤Ａ、Ｂでは、荷重測定装置２１の表示部２１２は秤ケース２５に設けられているが、表示部２１２或いはさらに回路部２１３は、図４に例示するように、ケース２５に拘束されない位置に配置できるようにしても構わない。
或いは、表示部２１２をケース２５に見やすい姿勢で、或いは見やすい姿勢に動かせるように設ける等してもよい。
【産業上の利用可能性】
【００６７】
本発明は、物品、なかでも重量の大きい各種機械等の重量物を支持するとともにその重量或いはその重量とともにその重量物に付加されることがある物品等の重量を随時、環境温湿度等に影響されることなく測定できる秤を提供することに利用できる。
【符号の説明】
【００６８】
Ａ  秤
１０  物品支持脚ボルト装置
１１  ボルト
１１１  雄ねじ棒部分
１１２  突出部
１１２ａ  突出部の一部である軸部
１１２ｂ  突出部の頭付きボルト
１２  円錐形状凹所
１１３  フランジ部
１３  ボルト台座
１３１  頂部
１３１ｈ  孔
１４  抜け止め装置の１例の雌ねじ部材
２０  秤本体（秤Ｂ）
２１  荷重測定装置
２１１  ロードセル２１１
２１１ａ  ロードセルの自由端部
２１１ｂ  ロードセルの荷重作用部位である球体
Ｈ  孔
２１２  液晶表示部
２１３  回路部
２２  荷重受け部の１例の球体
２３  レバー機構
２３１、２３２、２３３  レバー
２６  レバー支持ブロック
１ａ、２ａ，３ａ  レバーの一端部
１ｂ、２ｂ、３ｂ  レバーの他端部
１ｆ、２ｆ、３ｆ  レバーの荷重作用部位
３ｃ  レバー２３３の延長部分
２４  操作レバー
Ｓ１、Ｓ２  バネ
２５  ケース
２５１  ケース頂部の窪み箇所
２５２  孔
【図１】
0005686325.tif 000002
【図２】
0005686325.tif 000003
【図３】
0005686325.tif 000004
【図４】
0005686325.tif 000005